(57)【特許請求の範囲】
【請求項１】
商品陳列用の棚が架設された陳列室と、該陳列室の前面開口を開閉自在に閉塞する透視可能な扉と、前記陳列室の開口部に設けられ、前面に前記扉が当接する支柱と、該支柱の後面に上下に渡って取り付けられた照明装置とを備えたショーケースにおいて、
前記照明装置は、前記陳列室内後方に向けて光を照射するＬＥＤ素子が上下に渡って複数設けられた基板と、
前記支柱の水平方向における一側方の前記陳列室内に位置する前記棚前部に向け、前記ＬＥＤ素子からの光を反射する第１の反射部材と、
前記支柱の水平方向における他側方の前記陳列室内に位置する前記棚前部に向け、前記ＬＥＤ素子からの光を反射する第２の反射部材とを備え、
前記ＬＥＤ素子は、上下方向において略一直線上に配置され、
前記第１の反射部材と第２の反射部材は、前記各ＬＥＤ素子に対応してそれぞれ設けられると共に、上下方向において交互に配置されており、
前記第１の反射部材は、その中心が前記基板の水平方向における一側に偏って配置され、
前記第２の反射部材は、その中心が前記基板の水平方向における他側に偏って配置されていることを特徴とするショーケース。
【請求項２】
商品陳列用の棚が架設された陳列室と、該陳列室の前面開口を開閉自在に閉塞する透視可能な扉と、前記陳列室の開口部に設けられ、前面に前記扉が当接する支柱と、該支柱の後面に上下に渡って取り付けられた照明装置とを備えたショーケースにおいて、
前記照明装置は、前記陳列室内後方に向けて光を照射するＬＥＤ素子が上下に渡って複数設けられた基板と、
前記支柱の水平方向における一側方の前記陳列室内に位置する前記棚前部に向け、前記ＬＥＤ素子からの光を反射する第１の反射部材と、
前記支柱の水平方向における他側方の前記陳列室内に位置する前記棚前部に向け、前記ＬＥＤ素子からの光を反射する第２の反射部材とを備え、
前記ＬＥＤ素子は、上下方向において前記基板の水平方向における一側と他側に交互に偏って配置され、
前記第１の反射部材と第２の反射部材は、前記各ＬＥＤ素子に対応してそれぞれ設けられると共に、上下方向において交互に配置されており、
前記第１の反射部材は、前記基板の他側に偏って配置された前記ＬＥＤ素子に対応して設けられ、
前記第２の反射部材は、前記基板の一側に偏って配置された前記ＬＥＤ素子に対応して設けられていることを特徴とするショーケース。
【請求項３】
前記ＬＥＤ素子からの光を反射する前記各反射部材の反射面は、前記照明装置の水平方向における一側及び他側で、上下方向における明るさが略均等となる形状とされていることを特徴とする請求項１又は請求項２に記載のショーケース。
【発明の詳細な説明】
【技術分野】
【０００１】
本発明は、商品陳列用の棚が架設された陳列室と、この陳列室の前面開口を開閉自在に閉塞する透視可能な扉と、陳列室の開口部に設けられ、前面に扉が当接する支柱と、この支柱の後面に上下に渡って照明装置を取り付けて成るショーケースに関するものである。
【背景技術】
【０００２】
従来この種のショーケースにおいては、前面が開口する断面略コ字状の断熱箱体により本体が構成されており、内部に商品陳列用の棚が複数段架設された陳列室が形成されている。この断熱箱体の前部には、左右両側及びこれら両側部と所定間隔を存して複数の支柱が立設されている。それぞれの支柱間には、陳列室の前面開口を開閉自在に閉塞する内部を透視可能な扉が設けられている。この扉は、一側端を回動可能に支柱に支持され、当該一側を中心として回動させることにより、開放可能とされている（例えば、特許文献１及び特許文献２参照）。
【０００３】
そして、この支柱の後面には、上下に渡って陳列室照明用の蛍光灯が設置されている。これにより、陳列室内の棚上に陳列収納される商品は、蛍光灯により照明される。
【０００４】
ここで、蛍光灯により照射される光は、当該蛍光灯を構成する蛍光管外面より拡散されて陳列室内を照明する。この蛍光灯からの光は陳列室方向に向かって拡散するため、棚の前部中央まで十分な光量を照射することができない。そのため、棚中央周辺に陳列される商品は、十分な光量が供給されず、他よりも暗くなってしまう問題があった。
【０００５】
そこで、最近では、当該蛍光灯に代わって、指向性の高いＬＥＤ素子を用いた照明装置が採用されている。係る照明装置は、例えば複数のチップタイプのＬＥＤ素子が配設された基板により構成されている。そして、係るＬＥＤ素子が設けられた基板を陳列室の前両角隅部に上下に渡って取り付ける。このとき、基板は、支柱後面に対し所定の角度を成すように取り付けられ、これによって、ＬＥＤ素子からの光が直接棚前部に照射される。
【０００６】
同様に、陳列室の前両角隅部と所定間隔を存して設けられる支柱には、係るＬＥＤ素子が設けられた基板を備えた照明装置が背中合わせとされた状態で、上下に設けられる。一方の照明装置のＬＥＤ素子は、支柱の一側（左右方向の一側）の陳列室内に位置する棚前部に向けて光を照射すると共に、他方の照明装置のＬＥＤ素子は、支柱の他側（左右方向の他側）の陳列室内に位置する棚前部に向けて光を照射する構成とされていた。
【特許文献１】特開平８−２２４１５０号公報
【特許文献２】実用新案登録第２５４６３０２号公報
【発明の開示】
【発明が解決しようとする課題】
【０００７】
上述したように照明装置としてＬＥＤ素子を採用することで、光の指向性が向上し、陳列室内の商品の照明効果の向上を図ることが可能となる。しかし、上述したように、陳列室の両側部間に設けられるそれぞれの支柱には、各支柱の水平方向一側及び他側のそれぞれに光を照射するための照明装置を設ける必要がある。
【０００８】
そのため、各ＬＥＤ素子が支柱後面から水平方向一側（若しくは他側）に位置する棚前部を照明するように支柱後面に対し所定角度を成して基板を配置する必要があるため、支柱後面に配置される照明装置自体の寸法が大きくなる問題があった。
【０００９】
また、係る照明装置では、主としてＬＥＤ素子からの照射光を直接、棚前部に向けて照射すると共に、ＬＥＤ素子の扉側に設けられる反射板部からの反射光を陳列室内に照射する構成としていたが、ＬＥＤ素子から直接照射される光は、照射方向（若しくは照射範囲）を制御することが困難となり、最適な照明を実現するには、煩雑な調整作業が必要となる。
【００１０】
そこで、本発明は、従来の技術的課題を解決するために成されたものであり、特に棚前部を容易に、且つ、効果的に照明することができると共に、支柱後面に配置される照明装置の小型化を実現することで、限られた陳列室内の領域をより有効に使用することが可能となり、扉が開放された際に支柱側面からの美感向上を図ることができる照明装置を備えたショーケースを提供する。
【課題を解決するための手段】
【００１１】
請求項１の発明のショーケースは、商品陳列用の棚が架設された陳列室と、この陳列室の前面開口を開閉自在に閉塞する透視可能な扉と、陳列室の開口部に設けられ、前面に扉が当接する支柱と、この支柱の後面に上下に渡って取り付けられた照明装置とを備えたものであって、照明装置は、陳列室内後方に向けて光を照射するＬＥＤ素子が上下に渡って複数設けられた基板と、支柱の水平方向における一側方の陳列室内に位置する棚前部に向け、ＬＥＤ素子からの光を反射する第１の反射部材と、支柱の水平方向における他側方の陳列室内に位置する棚前部に向け、ＬＥＤ素子からの光を反射する第２の反射部材とを備え、ＬＥＤ素子は、上下方向において略一直線上に配置され、第１の反射部材と第２の反射部材は、各ＬＥＤ素子に対応してそれぞれ設けられると共に、上下方向において交互に配置され、第１の反射部材は、その中心が基板の水平方向における一側に偏って配置され、第２の反射部材は、その中心が基板の水平方向における他側に偏って配置されていることを特徴とする。
【００１２】
請求項２の発明のショーケースは、商品陳列用の棚が架設された陳列室と、この陳列室の前面開口を開閉自在に閉塞する透視可能な扉と、陳列室の開口部に設けられ、前面に扉が当接する支柱と、この支柱の後面に上下に渡って取り付けられた照明装置とを備えたものであって、照明装置は、陳列室内後方に向けて光を照射するＬＥＤ素子が上下に渡って複数設けられた基板と、支柱の水平方向における一側方の陳列室内に位置する棚前部に向け、ＬＥＤ素子からの光を反射する第１の反射部材と、支柱の水平方向における他側方の陳列室内に位置する棚前部に向け、ＬＥＤ素子からの光を反射する第２の反射部材とを備え、ＬＥＤ素子は、上下方向において基板の水平方向における一側と他側に交互に偏って配置され、第１の反射部材と第２の反射部材は、各ＬＥＤ素子に対応してそれぞれ設けられると共に、上下方向において交互に配置されており、第１の反射部材は、基板の他側に偏って配置されたＬＥＤ素子に対応して設けられ、第２の反射部材は、基板の一側に偏って配置されたＬＥＤ素子に対応して設けられていることを特徴とする。
【００１３】
請求項３の発明のショーケースは、上記各発明において、ＬＥＤ素子からの光を反射する各反射部材の反射面は、照明装置の水平方向における一側及び他側で、上下方向における明るさが略均等となる形状とされていることを特徴とする。
【発明の効果】
【００１４】
本発明によれば、商品陳列用の棚が架設された陳列室と、この陳列室の前面開口を開閉自在に閉塞する透視可能な扉と、陳列室の開口部に設けられ、前面に扉が当接する支柱と、この支柱の後面に上下に渡って取り付けられた照明装置とを備えたショーケースにおいて、照明装置は、陳列室内後方に向けて光を照射するＬＥＤ素子が上下に渡って複数設けられた基板と、支柱の水平方向における一側方の陳列室内に位置する棚前部に向け、ＬＥＤ素子からの光を反射する第１の反射部材と、支柱の水平方向における他側方の陳列室内に位置する棚前部に向け、ＬＥＤ素子からの光を反射する第２の反射部材とを備え、第１の反射部材と第２の反射部材は、各ＬＥＤ素子に対応してそれぞれ設けられると共に、上下方向において交互に配置されているので、単一の基板に配置される複数のＬＥＤ素子からの照射光を、上下方向において交互に配置される第１の反射部材と第２の反射部材のそれぞれによって対応する棚前部に向けて反射させることができ、支柱の水平方向における一側及び他側とで光量を均一がすることが可能となる。
【００１５】
これにより、単一の基板に配置される複数の指向性の高いＬＥＤ素子からの光を異なる方向に照射させることができ、棚上、特に最前部の商品を良好に照明することが可能となり、照明効果の向上を図ることができる。
【００１６】
また、ＬＥＤ素子から陳列室内後方に向けて照射される光は、それぞれの反射部材によって対応する棚前部に向けて反射される構成とされていることから、直接対象となる方向に向けて光を照射する場合に比較して、光の照射方向や、照射範囲の制御を容易に行うことが可能となる。これにより、円滑に、且つ、最適な照明を実現することが可能となる。
【００１７】
特に、照明装置を構成する基板は、ＬＥＤ素子が陳列室内後方に向けて光を照射するように支柱後面に設けられることから、照明装置自体の奥行き寸法を縮小することができ、限られた陳列室内の領域をより有効に使用することが可能となる。また、扉が開放された際に支柱側面からの照明装置の美感向上を図ることができる。
【００１８】
特に、請求項１の発明によれば、ＬＥＤ素子は、上下方向において略一直線上に配置され、第１の反射部材は、その中心が基板の水平方向における一側に偏って配置されていると共に、第２の反射部材は、その中心が基板の水平方向における他側に偏って配置されているので、各ＬＥＤ素子をそれぞれの反射部材の奥部に配置することが可能となり、光の反射方向の制御能力（光の指向性）を向上させることができる。これにより、より効果的な照明を実現することができる。
【００１９】
他方、請求項２の発明によれば、ＬＥＤ素子は、上下方向において基板の水平方向における一側と他側に交互に偏って配置され、第１の反射部材は、基板の他側に偏って配置されたＬＥＤ素子に対応して設けられていると共に、第２の反射部材は、基板の一側に偏って配置されたＬＥＤ素子に対応して設けられているので、各ＬＥＤ素子をそれぞれの反射部材の奥部に配置することが可能となり、光の反射方向の制御能力（光の指向性）を向上させることができると共に、基板自体の幅寸法を狭小化することが可能となる。
【００２０】
請求項３の発明によれば、上記各発明において、ＬＥＤ素子からの光を反射する各反射部材の反射面は、照明装置の水平方向における一側及び他側で、上下方向における明るさが略均等となる形状とされているので、照明装置の一側及び他側において上下方向における明るさ（光量又は光照射量）をムラ無く、略均等とでき、照明効果の向上を図ることができる。
【発明を実施するための最良の形態】
【００２１】
以下、図面に基づいて本発明の実施形態として各実施例について詳述する。
【実施例１】
【００２２】
まずはじめに、図１及び図２を参照して実施例１としてのショーケース１について説明する。図１は本発明を適用したショーケース１の正面図、図２はショーケース１の部分拡大断面図を示している。ショーケース１は、スーパーマーケットやコンビニエンスストアなどに設置される低温ショーケースで、前面に開口した断熱箱体（断熱壁）２により本体が構成されている。
【００２３】
この断熱箱体２は、前面に開口する鋼板製の外箱３と、この外箱３内に間隔を存して組み込まれ、前面に開口する鋼板若しくは硬質樹脂製の図示しない内箱と、外箱３及び内箱間に発泡充填された発泡ポリウレタンからなる断熱材にて構成されている。
【００２４】
この内箱内に陳列室５が構成されると共に、陳列室５の前面開口６の上端から下端に渡って内部を透視可能とされる複数（本実施例では３つ）の回動式のガラス扉７、７、７にて開閉自在に閉塞されている。このガラス扉７は、扉縁部を構成する枠体７Ａと、当該枠体７Ａ内に設けられる内部を透視可能なガラス板７Ｂとから構成されており、枠体７Ａの後面には、ガスケット７Ｃが設けられている。
【００２５】
断熱箱体２の前面開口６縁には、所定間隔を存して複数（この場合、扉７が３つ設けられているため、２つ）の支柱８が上下に渡って設けられている。係る支柱８は、例えば断熱材によって構成される柱状の部材である。そのため、各ガラス扉７は、後面のガスケット７Ｃが前面開口６縁部と、支柱８前面とに密着することにより、陳列室５内を閉塞している。また、本実施例において当該支柱８の後面８Ａは、陳列室５を構成する断熱箱体２の背面と略平行となる水平面を有している。
【００２６】
また、陳列室５の背面及び前部には、上下に渡って棚支柱１０が立設されており、当該棚支柱１０には、複数段の棚９が架設されている。なお、当該棚支柱１０には、所定間隔を存して複数の係合孔が形成されており、棚９を架設する係合孔を変更することにより、棚９の高さ位置を変更することができる。
【００２７】
なお、本実施例では、前記支柱８の後方に対応して陳列室５の背面及び前部に棚支柱１０が設けられている。そのため、各棚９は、各ガラス扉７の後方に対応してそれぞれ複数段架設されている。
【００２８】
また、陳列室５内上部には、図示しない冷却装置の冷却器と送風機が設置されている。冷却器は、別置きで設置される図示しない圧縮機及び凝縮器等と所謂冷凍サイクルを構成する冷却装置を構成するものであり、この冷却器からの冷気を送風機にて陳列室５に強制循環することによって、陳列室５内は所定の温度に冷却される。
【００２９】
次に、上記図２及び図３乃至図８を参照して陳列室５内に設けられる照明装置１５について詳述する。図３は照明装置１５の一部の透視平面図、図４は図３の側面図、図５は図３の断面図、図６は照明装置１５のＬＥＤ照明部材１６の分解斜視図、図７は同じくＬＥＤ照明部材１６の分解斜視図、図８はＬＥＤ素子による照射光の状態を説明する基板の概略説明図をそれぞれ示している。
【００３０】
本実施例において、本体を構成する断熱箱体２の開口６縁内側、具体的には、支柱８の後面８Ａには、上下に渡って照明装置１５が設けられている。尚、陳列室５の前両側部の隅角には、詳細は後述する図示しない照明装置が設けられている。
【００３１】
支柱８の後面８Ａに設けられる照明装置１５は、複数のＬＥＤ照明部材１６を上下に複数並設して構成される。図３では、当該ＬＥＤ照明部材１６が２つ並設した状態を示しているが、実際には、当該照明装置１５が設けられるショーケース１の支柱８の上下に渡って、それぞれが近接した状態で、複数個（例えば４、５個）並設される。
【００３２】
このＬＥＤ照明部材１６は、複数のＬＥＤ素子１７が配設された基板１８と、それぞれのＬＥＤ素子１７から照射された光を所定の方向に反射させる複数の反射部材２４・・、２５・・と、カバー部材２６により構成されている。
【００３３】
基板１８は、長手方向に延在して構成されると共に、少なくとも前述した如き支柱８の後面８Ａの幅寸法よりも所定寸法だけ小さく構成されている。当該基板１８には、所定間隔を存して複数のＬＥＤ素子１７が上下方向において略一直線上に配置されている。本実施例におけるＬＥＤ素子１７は、チップタイプの白色のＬＥＤ素子である。
【００３４】
基板１８上に配置される第１の反射部材２４は、支柱後面８Ａに取り付けられた状態で、支柱８の水平方向における一側方（例えば、ショーケース１の正面から向かって右側方）に開口し、支柱後面８Ａに略平行に設けられる基板１８に対向する面に開口を有する部材であって、当該内面は、所定角度にて湾曲、若しくは複数回、折曲された反射面２４Ａが形成されている。
【００３５】
本実施例では、当該反射部材２４は、外形が例えば球体を１／４等分したような形状に形成されており、内面に形成される反射面２４Ａは、陳列室５内後方に向けて照射されるＬＥＤ素子１７からの指向性の高い光を、当該反射部材２４内において複数回反射させることにより、効果的に支柱８の水平方向における一側方の陳列室５内に位置する棚９前部に向けて照射（反射）可能とされている。
【００３６】
基板１８上に配置される第２の反射部材２５は、支柱後面８Ａに取り付けられた状態で、支柱８の水平方向における他側方（例えば、ショーケース１の正面から向かって左側方）に開口し、支柱後面８Ａに略平行に設けられる基板１８に対向する面に開口を有する部材であって、当該内面は、所定角度にて湾曲、若しくは複数回、折曲された反射面２５Ａが形成されている。
【００３７】
本実施例では、当該反射部材２５は、上記反射部材２４と同様に、外形が例えば球体を１／４等分したような形状に形成されており、内面に形成される反射面２５Ａは、陳列室５内後方に向けて照射されるＬＥＤ素子１７からの指向性の高い光を、当該反射部材２５内において複数回反射させることにより、効果的に支柱８の水平方向における他側方の陳列室５内に位置する棚９前部に向けて照射（反射）可能とされている。
【００３８】
そして、各反射部材２４、２５は、基板１８に設けられる各ＬＥＤ素子１７に対応してそれぞれ設けられ、これらは上下方向において交互となるように配置される。このとき、第１の反射部材２４は、その中心が基板１８の水平方向における一側、即ち、照射光（反射光）が陳列室５側に照射される開口が形成される側、本実施例では、ショーケース１の正面から向かって右側に偏って配置される。そして、反射部材２４に対し、交互に配置される第２の反射部材２５は、その中心が基板１８の水平方向における他側、即ち、照射光（反射光）が陳列室５側に照射される開口が形成される側、本実施例では、ショーケース１の正面から向かって左側に偏って配置される。
【００３９】
そのため、図５や図８に示すように、各ＬＥＤ素子１７は、それぞれの反射部材２４、２５の奥部に配置することが可能となり、ＬＥＤ素子１７から陳列室５内後方に向けて照射される指向性の高い光の殆どを、反射部材２４、２５内それぞれの反射面２４Ａ、２５Ａにて反射（角度によっては複数回反射）させて、それぞれに対応する陳列室５内に位置する棚９前部に向けて照射できる。従って、ＬＥＤ素子１７からの光を直接照射対象に向けて照射する場合に比べて、光の反射方向の制御能力（光の指向性）を向上させることができ、より効果的な照明を実現することができる。
【００４０】
また、上記構成とすることで、単一の基板１８上には、図８に示すように上下方向に略一直線上に配置された複数のＬＥＤ素子１７・・・と、各ＬＥＤ素子１７のそれぞれに対し所謂千鳥状に異なる向きにＬＥＤ素子１７からの照射光を反射させて照明を行う反射部材２４、２５が配置されることとなる。
【００４１】
このとき、各反射部材２４及び２５内面に形成される反射面２４Ａ及び２５Ａをそれぞれ略同様に構成した場合、水平方向（左右）において照射光（反射光）が上下方向でずれた状態で各陳列室５の棚９前部に向けて照射されることとなる。
【００４２】
そのため、本実施例では、各反射部材２４、２５の反射面２４Ａ及び２５Ａを、各ＬＥＤ照明部材１６の水平方向における一側及び他側（左右側方）で、上下方向における明るさが略均等となるように、それぞれの取付位置に応じて反射面２４Ａ及び２５Ａの湾曲形状や複数の傾斜面から成る各傾斜角度が決定されているものとする。
【００４３】
これにより、ＬＥＤ照明部材１６の一側及び他側において上下方向における明るさ（光量又は光照射量）を図８において照射範囲を点線にて示しているように、ムラ無く、略均等とでき、照明効果の向上を図ることができる。
【００４４】
尚、係る場合には、各反射部材２４、２５は、それぞれの取付位置によって反射面２４Ａや２５Ａの形状が異なることから、本実施例では、図６及び図７に示すように、各反射部材２４・・・は、それぞれが連結辺２７・・にて一体に構成し、各反射部材２５・・・は、それぞれが連結辺２８・・にて一体に構成する。これにより、確実に適切な位置にそれぞれに対応する反射部材２４、２５を取り付けることが可能となる。
【００４５】
一方、カバー部材２６は、基板１８、ＬＥＤ素子１７、反射部材２４、２５を外方から被覆するため透光性材料によって構成された矩形体により構成されている。このカバー部材２６は、前面が開口されており、この開口内縁には、開口側から挿入される反射部材２４、２５、基板１８を着脱自在に保持するための係合爪２９が形成されている。
【００４６】
また、本実施例では、このカバー部材２６の上端及び下端には、基板１８等が保持されたカバー部材２６を前記支柱８の後面８Ａにネジ止めによって固定するための取付片が当該カバー部材２６と一体に形成されている。尚、図６及び図７では当該取付片を省略している。
【００４７】
即ち、図３及び図４に示すように、カバー部材２６の支柱８の後面８Ａに当接する開口縁上端には、水平方向における一側（この場合図３の向かって左側）から上方に延出して上取付片２０が形成されている。そして、当該開口縁下端には、水平方向における他側（この場合図３の向かって右側）から下方に延出して下取付片２１が形成されている。
【００４８】
このとき、これら上取付片２０及び下取付片２１は、上下方向において重複することのない位置において延出して形成されており、これら取付片２０、２１のそれぞれには支柱８への固定に用いるためのねじ穴２０Ａ、２１Ａが形成されている。
【００４９】
また、上取付片２０の一側部（この場合図３の向かって左側部）には、当該取付片２０を側方から隠蔽する隠蔽壁２２が、カバー部材２６の当該一側方の側面と面一となるように形成されている。同様に、下取付片２１の他側部（この場合図３の向かって右側部）には、当該取付片２１を側方から隠蔽する隠蔽壁２３が、カバー部材２６の当該他側方の側面と面一となるように形成されている。
【００５０】
係る構成により、当該実施例におけるＬＥＤ照明部材１６の組立手順及び取付手順について説明する。まずはじめに、基板１８のＬＥＤ素子１７が配設された面の上に複数が一体形成された反射部材２４及び複数が一体形成された反射部材２５を配置する。そして、基板１８に対し当該反射部材２４、２５側からカバー部材２６を被覆し、当該カバー部材２６に各反射部材２４、２５、ＬＥＤ素子１７、基板１８を内包させる。
【００５１】
このとき、カバー部材２６の内側の寸法は、基板１８の板厚及び反射部材２４、２５の奥行き寸法を考慮し、基板１８及び反射部材２４、２５がカバー部材２６内に略きっちり収納された状態で、カバー部材２６の開口内縁に形成される係合爪２９が基板１８のＬＥＤ素子１７が配設される面と対向する面に係止する構成とされている。係る構成により、容易にＬＥＤ照明部材１６を組み立てることができる。
【００５２】
組み立てられたＬＥＤ照明部材１６は、カバー部材２６の開口側（基板１８側の面）を照明装置１５を取り付ける支柱８の後面８Ａに当接し、当該カバー部材２６の上下端に形成される取付片２０、２１を用いてネジ（固定具）３１、３１によって、支柱８の後面８Ａに固定する。
【００５３】
照明装置１５は、複数のＬＥＤ照明部材１６を上下方向に並設して支柱８の後面８Ａに取り付ける。この場合、一方のＬＥＤ照明部材１６のカバー部材２６、例えば下側に位置するＬＥＤ照明部材１６のカバー部材２６の上取付片２０と、他方のＬＥＤ照明部材１６のカバー部材２６、この場合上側に位置するＬＥＤ照明部材１６のカバー部材２６の下取付片２１とが水平方向で重複（並設）して支柱８に固定することが可能となる。
【００５４】
そのため、隣接するＬＥＤ照明部材１６、１６を上下方向でより近接して直列配置することができるようになる。従って、照明装置１５を構成する各ＬＥＤ照明部材１６によるカバー部材２６を透過する照明の明るさ（光量、照射量）の連続性を向上させることが可能となる。
【００５５】
特に、本実施例のように、異なる方向に光を照射する光源となるＬＥＤ素子１７が交互に配置されることで、一方向のみに光を照射するＬＥＤ素子１７のみが設けられている場合や蛍光灯の場合に比べて照明の連続性が低下するが、このように隣接するＬＥＤ照明部材１６が上下方向でより近接して配置することで、カバー部材２６を透過する照明の連続性を向上でき、適切な照明を実現することが可能となる。
【００５６】
また、各ＬＥＤ照明部材１６を構成するカバー部材２６は、上方に延出して形成された上取付片２０と、下方に延出して形成された下取付片２１によって、支柱後面８Ａに固定されるため、取付を考慮した照明装置１５自体の幅寸法を狭小化することができ、照明装置１５の幅寸法に応じて支柱後面８Ａの幅寸法を拡大することなく、当該照明装置１５を取り付けることが可能となる。これにより、陳列効果の向上を図ることができる。
【００５７】
また、本実施例では、上取付片２０の一側部、及び、下取付片２１の他側部には、各取付片２０、２１を隠蔽する隠蔽壁２２、２３が形成されているので、照明装置１５を側面からみた場合に、ＬＥＤ照明部材１６同士が隣接する部分における各取付片２０、２１がそれぞれの隠蔽壁２２、２３により隠蔽され、即ち、照明装置１５の一側（図３の向かって左側）は、隠蔽壁２２によって隠蔽され、他側（図３の向かって右側）は、隠蔽壁２３によって隠蔽される。これにより、各ＬＥＤ照明部材１６、１６の連続性を向上でき、美感向上を図ることができる。
【００５８】
尚、陳列室５の前両側部の隅角には、上下に渡って図示しない照明装置が設けられる。係る照明装置は、支柱８の後面８Ａに設けられる照明装置１５と略同様に構成すると共に、基板１８に設けられるＬＥＤ素子１７の数を減らし、陳列室５内に位置する棚９前部に向けて光を反射させる反射部材２４又は２５の何れかを設けた構成としてもよい。
【００５９】
これにより、照明装置に対し水平方向における一側方（若しくは他側方）にしか存在しない陳列室５内に位置する棚９前部を照明することが可能となる。尚、当該前両側部の隅角に設けられる照明装置は、支柱８後面８Ａの寸法に制限されるものではなく、一方向にのみ照明を行うものであるため、これに限定されるものではなく、従来と略同様に、ＬＥＤ素子１７が上下方向に設けられた基板１８を当該隅角に対し所定角度を成すように配設する構成としてもよい。
【００６０】
係る構成により、支柱８の後面８Ａに略平行に取り付けられる基板１８に配設される各ＬＥＤ素子１７による光は、陳列室５内後方に向けて照射される。各ＬＥＤ素子１７には、それぞれ第１の反射部材２４又は第２の反射部材２５が対応して設けられているため、第１の反射部材２４が設けられたＬＥＤ素子１７からの照射光は、その反射面２４Ａに一回、若しくは複数回反射して、カバー部材２６を透過し、支柱８の水平方向における一側方の陳列室５内に位置する棚９前部に向けて照射される。また、第２の反射部材２５が設けられたＬＥＤ素子１７からの照射光は、その反射面２５Ａに一回、若しくは複数回反射して、カバー部材２６を透過し、支柱８の水平方向における他側方の陳列室５内に位置する棚９前部に向けて照射される。
【００６１】
同様に、陳列室５の前両側部の隅角に配設される照明装置によって、陳列室５の両側部から陳列室５内に位置する棚９前部が照明される。これにより、陳列室５内に位置する商品が載置された棚９前部は、支柱８の後面８Ａに設けられる照明装置１５によりその支柱８の水平方向における一側方及び他側方に向けて照射される光及び陳列室５の前両側部の隅角に設けられる照明装置から照射される光によって照明することができ、陳列室５内の商品及びショーケース自体の照明効果の向上を図ることができる。
【００６２】
特に、本発明の構成では、各反射部材２４、２５は、上述したように上下方向において交互となるように配置されているため、支柱８の後面８Ａから支柱８の水平方向における一側及び他側とで光量を均一に、異なる方向（当該支柱８の水平方向における両側方）の陳列室５内に位置する棚９前部を照射することが可能となる。
【００６３】
また、本実施例では、単一の基板１８に配置される複数の指向性の高いＬＥＤ素子１７からの照射光を異なる方向に照射されることができ、棚９上、特に最前部の商品を良好に照明することが可能となり、照明効果の向上を図ることができる。
【００６４】
更に、ＬＥＤ素子１７から陳列室５内後方に向けて照射される光は、それぞれの反射部材２４、２５によって対応する棚９前部に向けて反射される構成とされていることから、直接対象となる方向に向けて光を照射する場合に比較して、光の照射方向や、照射範囲の制御を容易に行うことが可能となる。これにより、円滑に、且つ、最適な照明を実現することが可能となる。
【００６５】
特に、照明装置１５の各ＬＥＤ照明部材１６を構成する基板１８は、ＬＥＤ素子１７が陳列室５内後方に向けて光を照射するように支柱後面８Ａに設けられることから、照明装置１５自体の奥行き寸法を縮小することができ、限られた陳列室５内の領域をより有効に使用することが可能となる。また、扉７が開放された際に支柱８側面からの照明装置１５の美感向上を図ることができる。
【００６６】
尚、上記実施例１では、ＬＥＤ照明部材１６を構成する単一の基板１８上に、図８に示すように上下方向に略一直線上に配置された複数のＬＥＤ素子１７・・・と、各ＬＥＤ素子１７のそれぞれに対し所謂千鳥状に異なる向きにＬＥＤ素子１７からの照射光を反射させて照明を行う反射部材２４、２５を配置しているが、ＬＥＤ素子１７の配置及び各反射部材２４、２５の配置はこれに限定されない。
【００６７】
例えば、図９に示すＬＥＤ照明部材３３は、単一の基板３４上に複数のＬＥＤ素子３５（構成はＬＥＤ素子１７と同様）を上下方向において水平方向における一側と他側に交互に偏って配置し、上記実施例と同様に構成される第１の反射部材２４を、基板３４の他側に偏って配置されたＬＥＤ素子３５に対応して設けると共に、同じく上記実施例と同様に構成される第２の反射部材２５は、基板３４の一側に偏って配置されたＬＥＤ素子３５に対応して設ける。
【００６８】
これにより、各ＬＥＤ素子３５をそれぞれの反射部材２４、２５の奥部に配置することが可能となり、光の反射方向の制御能力（光の指向性）を向上させることができると共に、上記実施例に比べて基板３４自体の幅寸法を狭小化することが可能となる。尚、図９では、上記実施例１と同様に反射部材２４、２５の反射面２４Ａ、２５ＡをＬＥＤ照明部材３３の水平方向における一側及び他側で、上下方向における明るさが略均等となるような形状とされている状態を、点線にて示す照射範囲により示している。
【００６９】
また、これ以外にも、例えば、図１０に示すＬＥＤ照明部材３６は、単一の基板３７上に上下方向における水平方向一側に向けて光を反射させる第１の反射部材２４と水平方向他側に向けて光を反射させる第２の反射部材２５を上下方向に略一直線上に配置し、それぞれの反射部材２４、２５の奥部にＬＥＤ素子３８を配置する。この場合、ＬＥＤ素子３８はを上下方向において水平方向における一側と他側に交互に図９よりも偏って配置されることとなる。
【００７０】
これにより、各ＬＥＤ素子３８をそれぞれの反射部材２４、２５の奥部に配置されることで、光の反射方向の制御能力（光の指向性）を向上させることができると共に、上記実施例よりも更に基板３７自体の幅寸法を狭小化することが可能となる。尚、図１０では、上記実施例１や図９の場合との比較として、各反射部材２４、２５の反射面２４Ａ、２５Ａを略同一の形状とされている状態を、照射範囲として示している。
【実施例２】
【００７１】
次に、図１１及び図１２を参照して上記ショーケース１に設けられる実施例２としての照明装置４０について説明する。図１１は照明装置４０を採用したショーケース１の部分拡大断面図、図１２は照明装置４０の一部の透視平面図である。当該照明装置４０は、上記実施例１の照明装置１５のＬＥＤ照明部材１６と略同様に構成される複数のＬＥＤ照明部材４１により構成される。係るＬＥＤ照明部材４１も支柱８の後面８Ａに上下に複数並設して構成されるものであり、複数のＬＥＤ素子１７が配設された基板１８と、それぞれのＬＥＤ素子１７から照射された光を所定の方向に反射させる複数の反射部材２４・・、２５・・と、カバー部材４２により構成される。当該実施例では、カバー部材４２以外の構成は、上記実施例１と略同一の構成であるため、詳細な説明は省略する。
【００７２】
カバー部材４２は、基板１８、ＬＥＤ素子１７、反射部材２４、２５を外方から被覆するため透光性材料によって構成された矩形体により構成されている。このカバー部材４２は、前面が開口されており、この開口内縁には、開口側から挿入される反射部材２４、２５、基板１８を着脱自在に保持するための係合爪２９が形成されている。
【００７３】
係る実施例では、このカバー部材４２の支柱８の後面８Ａに当接する開口縁であって上部側面及び下部側面には、それぞれ水平方向に延出して形成された取付片４３、４３が形成されている。これら取付片４３、４３のそれぞれには支柱８への固定に用いるためのねじ穴４３Ａ、４３Ａが形成されている。
【００７４】
係る構成により、ＬＥＤ照明部材４１を取り付ける場合には、上記実施例１と同様にまず、基板１８のＬＥＤ素子１７が配設された面の上に複数が一体形成された反射部材２４及び複数が一体形成された反射部材２５を配置する。そして、基板１８に対し当該反射部材２４、２５側からカバー部材４２を被覆し、当該カバー部材４２に各反射部材２４、２５、ＬＥＤ素子１７、基板１８を内包させる。
【００７５】
この場合も、カバー部材４２の内側の寸法は、基板１８の板厚及び反射部材２４、２５の奥行き寸法を考慮し、基板１８及び反射部材２４、２５がカバー部材４２内に略きっちり収納された状態で、カバー部材４２の開口内縁に形成される係合爪２９が基板１８のＬＥＤ素子１７が配設される面と対向する面に係止する構成とされている。係る構成により、容易にＬＥＤ照明部材４１を組み立てることができる。
【００７６】
組み立てられたＬＥＤ照明部材４１は、カバー部材４２の開口側（基板１８側の面）を照明装置４０を取り付ける支柱８の後面８Ａに当接し、当該カバー部材４２の上部側面及び下部側面に形成される取付片４３、４３を用いてネジ（固定具）４４、４４によって、支柱８の後面８Ａに固定する。
【００７７】
係る場合には、上下方向に直列配置されるＬＥＤ照明部材４１のカバー部材４２の上面及び下面には、上方又は下方に延出する取付片が設けられていないため、カバー部材４２相互の上面及び下面を近接した状態で支柱８の後面８Ａに固定することが可能となる。
【００７８】
これにより、照明装置４０を構成する各ＬＥＤ照明部材４１、４１による照明の明るさ（光量、照射量）の連続性を向上させることが可能となる。
【００７９】
特に、本実施例において採用されるＬＥＤ照明部材４１は、異なる方向に光を照射する光源となるＬＥＤ素子１７が交互に配置されることで、一方向のみに光を照射するＬＥＤ素子１７のみが設けられている場合や蛍光灯の場合に比べて照明の連続性が低下するが、このように隣接するＬＥＤ照明部材４１が上下方向でより近接して配置することで、係る照明の連続性を向上でき、適切な照明を実現することが可能となる。
【実施例３】
【００８０】
次に、図１３を参照して上記ショーケース１に設けられる実施例３としての照明装置４５について説明する。図１３は照明装置４５の一部の透視平面図である。当該実施例における照明装置４５は、上記実施例１と同様に、支柱８の後面８Ａに上下に複数並設して構成されるＬＥＤ照明部材４６により構成されるものであり、このＬＥＤ照明部材４６は、複数のＬＥＤ素子１７が配設された基板４８と、それぞれのＬＥＤ素子１７から照射された光を所定の方向に反射させる複数の反射部材２４・・、２５・・と、カバー部材４７により構成される。
【００８１】
ＬＥＤ照明部材４６を構成する単一の基板４８には、上記実施例１と同様に上下方向に略一直線上、又は、水平方向における一側と他側に交互に偏って複数のＬＥＤ素子１７が配置され、ＬＥＤ素子１７から陳列室５内後方に向けて照射される光を支柱８の水平方向における一側方の陳列室５内に位置する棚９前部に向けて反射する第１の反射部材２４と、ＬＥＤ素子１７から陳列室５内後方に向けて照射される光を支柱８の水平方向における他側方の陳列室５内に位置する棚９前部に向けて反射する第２の反射部材２５とが各ＬＥＤ素子１７に対応してそれぞれ設けられ、上下方向において交互に配置される。
【００８２】
このとき、第１の反射部材２４は、その中心が基板４８の水平方向における一側に偏って配置され、第２の反射部材２５は、その中心が基板４８の水平方向における他側に偏って配置されている。そして、この基板４８の上端には、反射部材２４又は２５を回避した位置に切欠４９が形成されている。図１３に示す如き実施例では、ＬＥＤ照明部材４６を構成する基板４８の上端部に位置する反射部材２４は、水平方向における一側（図１３の向かって右側）に偏って配置されているため、当該切欠４９は、水平方向における他側（図１３の向かって左側）の角隅部に形成されている。
【００８３】
また、この基板４８の下端にも反射部材２４又は２５を回避した位置に切欠５０が形成されている。図１３に示す如き実施例では、ＬＥＤ照明部材４６を構成する基板４８の下端部に位置する反射部材２５は、水平方向における他側（図１３の向かって左側）に偏って配置されているため、当該切欠５０は、水平方向における他側（図１３の向かって右側）の角隅部に形成されている。
【００８４】
一方、カバー部材４７は、基板４８、ＬＥＤ素子１７、反射部材２４、２５を外方から被覆するため透光性材料によって構成された前面が開口する矩形体により構成されており、この開口内縁には、図示しない係合爪が形成されている。
【００８５】
そして、このカバー部材４７の上端には、基板４８の前記切欠４９に対応する箇所に内方に突出した上取付部５１が形成されている。本実施例では、当該上取付部５１は、カバー部材４７の後壁から前面開口縁部に渡って柱状に形成されており、当該上取付部５１には前後にわたってネジ穴５１Ａが形成されている。但し、当該上取付部５１の形状はこれに限定されるものではなく、前面開口縁部のみに形成される上取付片（この場合、対応する後壁にネジ穴が形成されているものとする）により構成してもよい。
【００８６】
本実施例では、基板４８に形成される切欠４９は、基板４８の上端部に水平方向における一側（図１３の向かって右側）に偏って反射部材２４が配置されているため、水平方向における他側（図１３の向かって左側）の角隅部に形成されている。そのため、これに対応するカバー部材４６の上取付部５１も水平方向における他側（図１３の向かって左側）に形成される。このとき、切欠４９は、カバー部材４６を取り付けた際に当該上取付部５１を回避する形状とされている。
【００８７】
そして、カバー部材４７の下端には、基板４８の前記切欠５０に対応する箇所に内方に突出した下取付部５２が形成されている。本実施例では、当該下取付部５２は、カバー部材４７の後壁から前面開口縁部に渡って柱状に形成されており、当該下取付部５２には前後にわたってねじ穴５２Ａが形成されている。但し、当該下取付部５２の形状はこれに限定されるものではなく、前面開口縁部のみに形成される下取付片（この場合、対応する後壁にねじ穴が形成されているものとする）により構成してもよい。
【００８８】
本実施例では、基板４８に形成される切欠５０は、基板４８の下端部に水平方向における他側（図１３の向かって左側）に偏って反射部材２５が配置されているため、水平方向における一側（図１３の向かって右側）の角隅部に形成されている。そのため、これに対応するカバー部材４７の下取付部５２も水平方向における一側（図１３の向かって右側）に形成される。このとき、切欠５０は、カバー部材４７を取り付けた際に当該下取付部５２を回避する形状とされている。
【００８９】
係る構成により、ＬＥＤ照明部材４６を取り付ける場合には、上記実施例１と同様にまず、基板４８のＬＥＤ素子１７が配設された面の上に複数が一体形成された反射部材２４及び複数が一体形成された反射部材２５を配置する。そして、基板１８に対し当該反射部材２４、２５側からカバー部材４７を被覆し、当該カバー部材４７に各反射部材２４、２５、ＬＥＤ素子１７、基板４８を内包させる。
【００９０】
この場合も、カバー部材４７の内側の寸法は、基板４８の板厚及び反射部材２４、２５の奥行き寸法を考慮し、基板４８及び反射部材２４、２５がカバー部材４７内に略きっちり収納された状態で、カバー部材４７の開口内縁に形成される係合爪が基板４８のＬＥＤ素子１７が配設される面と対向する面に係止する構成とされている。係る構成により、容易にＬＥＤ照明部材４６を組み立てることができる。
【００９１】
この状態で、カバー部材４７内に内方に突出して形成される上取付部５１又は下取付部５２に対応した位置に基板４８の切欠４９、５０が形成されているため、支障なく係る上取付部５１及び下取付部５２がカバー部材４７の前面開口に面した状態で、基板４８を取り付けることが可能となる。
【００９２】
組み立てられたＬＥＤ照明部材４６は、カバー部材４７の開口側（基板４８側の面）を照明装置４５を取り付ける支柱８の後面８Ａに当接し、当該カバー部材４７の上端部及び下端部に形成される上取付部５１及び下取付部５２を用いてねじ（固定具）によって、支柱８の後面８Ａに固定する。
【００９３】
係る場合には、上下方向に直列配置されるＬＥＤ照明部材４６のカバー部材４７の上面及び下面には、上方又は下方に延出する取付片が設けられていないため、カバー部材４７相互の上面及び下面をより近接した状態で支柱８の後面８Ａに固定することが可能となる。
【００９４】
これにより、照明装置４５を構成する各ＬＥＤ照明部材４６による照明の明るさ（光量、照射量）の連続性を向上させることが可能となる。
【００９５】
また、係る実施例では、基板４８の切欠４９、５０は、各反射部材２４、２５を回避した位置に形成されているので、ＬＥＤ照明部材４６を構成するＬＥＤ素子１７からの光を各方向に反射させる各反射部材２４、２５を、各ＬＥＤ照明部材４６、４６間においてより近接することが可能となり、当該ＬＥＤ照明部材４６、４６間において各反射部材２４、２５によって交互に異なる方向に照射される光をそれぞれの側の上下方向において近接することができる。
【００９６】
従って、照明装置４５からの各方向への照射光をより連続的なものとすることができ、最適な照明を実現することが可能となる。
【実施例４】
【００９７】
次に、図１４を参照して上記ショーケース１に設けられる実施例４としての照明装置５５について説明する。図１４は照明装置５５の一部の部分透視平面図である。当該実施例における照明装置５５は、上記実施例３と同様に、支柱８の後面８Ａに上下に複数並設して構成されるＬＥＤ照明部材５６により構成されるものであり、このＬＥＤ照明部材５６は、上述した如く切欠４９、５０が形成され、複数のＬＥＤ素子１７が配設された基板４８と、それぞれのＬＥＤ素子１７から照射された光を所定の方向に反射させる各反射部材２４・・、２５・・と、カバー部材５７により構成される。尚、基板４８、ＬＥＤ素子１７、各反射部材２４、２５の構成は、上記実施例３と略同様であるため説明を省略する。
【００９８】
カバー部材５７は、基板４８、ＬＥＤ素子１７、反射部材２４、２５を外方から被覆するため透光性材料によって構成された前面が開口する矩形体により構成されており、この開口内縁には、図示しない係合爪が形成されている。
【００９９】
そして、このカバー部材５７の開口縁の上端の水平方向一側（当該ＬＥＤ照明部材５６の上端部に設けられている反射部材２４が偏って配置されている側。図１４では、当該反射部材２４が向かって右側に配置されているため、向かって右側。）には、上方に延出した上取付片６１が形成されている。
【０１００】
また、カバー部材５７の開口縁の下端の水平方向他側（当該ＬＥＤ照明部材５６の下端部に設けられている反射部材２５が偏って配置されている側。図１４では、当該反射部材２５が向かって左側に配置されているため、向かって左側。）には、下方に延出した下取付片６２が形成されている。
【０１０１】
そして、このカバー部材５７の上縁は、上取付片６１が形成されている側とは水平方向反対側（即ち、水平方向他側）には、上側に隣接して直列に配設される他のＬＥＤ照明部材５６のカバー部材５７の下取付片６１が進入可能とされる上切欠６３が形成されている。この上切欠６３は、当該カバー部材５７内に保持される基板４８に形成される切欠（上切欠）４９と対応して形成されており、これにより、当該基板４８に形成される上切欠４９内に他のＬＥＤ照明部材５６の下取付片６２が進入可能とされる。
【０１０２】
同様に、このカバー部材５７の下縁は、下取付片６２が形成されている側とは水平方向反対側（即ち、水平方向一側）には、下側に隣接して直列に配設される他のＬＥＤ照明部材５６のカバー部材５７の上取付片６１が進入可能とされる下切欠６４が形成されている。この下切欠６４は、当該カバー部材５７内に保持される基板４８に形成される切欠（下切欠）５０と対応して形成されており、これにより、当該基板４８に形成される下切欠５０内に他のＬＥＤ照明部材５６の上取付片６１が進入可能とされる。
【０１０３】
各取付片６１、６２には、支柱８の後面８Ａにネジ止めにより固定するためのねじ穴６１Ａ、６２Ａが形成されている。
【０１０４】
係る構成により、ＬＥＤ照明部材５６を取り付ける場合には、上記実施例１と同様にまず、基板４８のＬＥＤ素子１７が配設された面の上に複数が一体形成された反射部材２４及び複数が一体形成された反射部材２５を配置する。そして、基板１８に対し当該反射部材２４、２５側からカバー部材５７を被覆し、当該カバー部材５７に各反射部材２４、２５、ＬＥＤ素子１７、基板４８を内包させる。
【０１０５】
この場合も、カバー部材５７の内側の寸法は、基板４８の板厚及び反射部材２４、２５の奥行き寸法を考慮し、基板４８及び反射部材２４、２５がカバー部材５７内に略きっちり収納された状態で、カバー部材５７の開口内縁に形成される係合爪が基板４８のＬＥＤ素子１７が配設される面と対向する面に係止する構成とされている。係る構成により、容易にＬＥＤ照明部材５６を組み立てることができる。
【０１０６】
組み立てられたＬＥＤ照明部材５６は、カバー部材５７の開口側（基板４８側の面）を照明装置５５を取り付ける支柱８の後面８Ａに当接し、当該カバー部材５７の上端及び下端に形成される上取付片６１及び下取付片６２を用いてネジ（固定具）によって、支柱８の後面８Ａに固定する。
【０１０７】
係る場合には、カバー部材５７の上縁水平方向一側に形成される上取付片６１は、上側に隣接して直列に配設される他のＬＥＤ照明部材５６のカバー部材５７の下切欠６４及び当該カバー部材５７内に保持される基板４８の下切欠５０内に進入される。また、カバー部材５７の下縁水平方向他側に形成される下取付片６２は、下側に隣接して直列に配設される他のＬＥＤ照明部材５６のカバー部材５７の上切欠６３及び当該カバー部材５７内に保持される基板４８の上切欠４９内に進入される。この状態で支柱８の後面８Ａに固定される。
【０１０８】
そのため、隣接するＬＥＤ照明部材５６を上下方向でより近接して直列配置することができるようになる。これにより、照明装置５５を構成する各ＬＥＤ照明部材５６、５６による照明の明るさ（光量、照射量）の連続性を向上させることが可能となる。
【０１０９】
この場合も、基板４８の切欠４９、５０及びこれらに対応するカバー部材５６の切欠６３、６４は、各反射部材２４、２５を回避した位置に形成されているので、ＬＥＤ照明部材５６を構成するＬＥＤ素子１７からの光を各方向に反射させる各反射部材２４、２５を、各ＬＥＤ照明部材５６、５６間においてより近接することが可能となり、当該ＬＥＤ照明部材５６、５６間において各反射部材２４、２５によって交互に異なる方向に照射される光をそれぞれの側の上下方向において近接することができる。
【０１１０】
従って、照明装置５５からの各方向への照射光をより連続的なものとすることができ、最適な照明を実現することが可能となる。
【０１１１】
なお、上記各実施例では、ＬＥＤ素子からの光を反射部材２４又は２５によって、対応する棚９前部に向けて照射可能としているが、これに限定されるものではなく、ガラス扉７に対し光を照射するように反射面２４Ａ及び２５Ａを形成してもよい。
【図面の簡単な説明】
【０１１２】
【図１】本発明を適用したショーケースの正面図である。
【図２】図１のショーケースの部分拡大断面図である。
【図３】照明装置の一部の透視平面図である。
【図４】図３の側面図である。
【図５】図３の断面図である。
【図６】照明装置のＬＥＤ照明部材の分解斜視図である。
【図７】同じくＬＥＤ照明部材の分解斜視図である。
【図８】ＬＥＤ素子による照射光の状態を説明する基板の概略説明図である。
【図９】他の実施例のＬＥＤ照明部材のＬＥＤ素子による照射光の状態を説明する基板の概略説明図である。
【図１０】他の実施例のＬＥＤ照明部材のＬＥＤ素子による照射光の状態を説明する基板の概略説明図である。
【図１１】ショーケースの部分拡大断面図である。（実施例２）
【図１２】照明装置の一部の透視平面図である。（実施例２）
【図１３】照明装置の一部の透視平面図である。（実施例３）
【図１４】照明装置の一部の部分透視平面図である。（実施例４）
【符号の説明】
【０１１３】
１    ショーケース
２    断熱箱体（本体）
５    陳列室
６    前面開口
７    ガラス扉（扉）
８    支柱
８Ａ  後面
９    棚
１５、４０、４５、５５  照明装置
１６、３３、３６、４１、４６、５６  ＬＥＤ照明部材
１７、３５、３８  ＬＥＤ素子
１８、３４、３７、４８  基板
２０  上取付片
２１  下取付片
２２、２３  隠蔽壁
２４  第１の反射部材
２４Ａ  反射面
２５  第２の反射部材
２５Ａ  反射面
２６、４２、４７、５７  カバー部材
２７、２８  連結辺
４３  取付片
４９、５０  切欠
５１  上取付部
５２  下取付部
６１  上取付片
６２  下取付片
６３  上切欠
６４  下切欠
【図１】
0005312841.tif 000002
【図２】
0005312841.tif 000003
【図３】
0005312841.tif 000004
【図４】
0005312841.tif 000005
【図５】
0005312841.tif 000006
【図６】
0005312841.tif 000007
【図７】
0005312841.tif 000008
【図８】
0005312841.tif 000009
【図９】
0005312841.tif 000010
【図１０】
0005312841.tif 000011
【図１１】
0005312841.tif 000012
【図１２】
0005312841.tif 000013
【図１３】
0005312841.tif 000014
【図１４】
0005312841.tif 000015